(57)【要約】      （修正有）【課題】表示装置の受信可能な映像信号のフォーマットを、国や地域に応じて変更可能とする。【解決手段】映像出力装置２０から入力される映像信号に基づいて映像を表示する表示装置（例えば、プロジェクタ１０）であって、表示装置は、映像信号を受信する入力部１０１と、時計部１０６と、映像出力装置から受信可能な映像信号のフォーマット情報を、地域判定部１０８により判定される、表示装置が使用される地域に関する情報に基づいて変更する処理を行う制御部１０７と、表示部１０３とを有する。【選択図】図１
2019083490.tif 000002
【特許請求の範囲】
【請求項１】
外部装置から入力される映像信号に基づいて映像を表示する表示装置であって、
前記映像信号を受信する入力手段と、
前記外部装置から受信可能な映像信号のフォーマット情報を、前記表示装置が使用される地域に関する情報に基づいて変更する処理を行う制御手段と、
を有することを特徴とする表示装置。
【請求項２】
前記フォーマット情報を記憶し、前記外部装置による前記フォーマット情報の読み出しが可能な記憶手段を有することを特徴とする請求項１に記載の表示装置。
【請求項３】
前記記憶手段として、前記フォーマット情報の少なくとも一部が互いに異なるフォーマット情報を記憶した複数の記憶手段を有し、
前記制御手段は、前記処理として、前記複数の記憶手段のうち前記外部装置による前記フォーマット情報の読み出しが可能な記憶手段を切り替える処理を行うことを特徴とする請求項２に記載の表示装置。
【請求項４】
前記制御手段は、前記処理として、前記記憶手段に記憶されている前記フォーマット情報を変更する処理を行うことを特徴とする請求項２に記載の表示装置。
【請求項５】
時計手段を有し、
前記地域に関する情報は、前記時計手段に関連するタイムゾーンの設定に基づく情報であることを特徴とする請求項１乃至４の何れか一項に記載の表示装置。
【請求項６】
前記表示装置が設置された位置を測位する測位手段を有し、
前記地域に関する情報は、前記測位手段により取得される位置に基づく情報であることを特徴とする請求項１乃至４の何れか一項に記載の表示装置。
【請求項７】
前記表示装置が表示するメニューの言語を設定する言語設定手段を有し、
前記地域に関する情報は、前記言語設定手段で設定された前記言語に基づく情報であることを特徴とする請求項１乃至４の何れか一項に記載の表示装置。
【請求項８】
前記表示装置の使用される前記地域を設定する地域設定手段を有し、
前記地域に関する情報は、前記地域設定手段で設定された地域に基づく情報であることを特徴とする請求項１乃至４の何れか一項に記載の表示装置。
【請求項９】
前記フォーマット情報はＥＤＩＤであることを特徴とする請求項１乃至８の何れか一項に記載の表示装置。
【請求項１０】
前記映像信号に基づいて生成された駆動信号により駆動され、光源からの光を変調する光変調部と、該光変調部により変調された光を被投射面に投射する光学系とを有することを特徴とする請求項１乃至９の何れか一項に記載の投射型表示装置。
【請求項１１】
映像信号を受信する入力手段を有し、外部装置から入力される前記映像信号に基づいて映像を表示する表示装置のコンピュータに、
前記外部装置から受信可能な映像信号のフォーマット情報を、前記表示装置が使用される地域に関する情報に基づいて変更する処理を行わせることを特徴とする処理プログラム。
【発明の詳細な説明】
【技術分野】
【０００１】
本発明は表示装置に関する。
【背景技術】
【０００２】
国や地域によって、主に使用される映像信号のフォーマットが異なり、各国で流通している映像信号出力装置も、国や地域によって出力できる映像信号のフォーマットが異なっていることがある。一方、表示装置は、受信可能な映像信号のフォーマットを映像信号出力装置に通知することができ、その手法としてＥＤＩＤ（Ｅｘｔｅｎｄｅｄ  Ｄｉｓｐｌａｙ  Ｉｄｅｎｔｉｆｉｃａｔｉｏｎ  Ｄａｔａ）が一般的に知られている。
【０００３】
ＥＤＩＤは、通知可能なフォーマットの数に上限があるため、表示装置が受信可能な全てのフォーマットを通知できない。このため、映像信号出力装置が、最適な映像信号のフォーマットで映像信号を出力できない場合があった。
【０００４】
特許文献１には、ユーザーが表示装置に対して所定の操作を行うことにより、ＥＤＩＤを変更できる表示装置が開示されている。
【先行技術文献】
【特許文献】
【０００５】
【特許文献１】特開２００８−１０７６７５号公報
【発明の概要】
【発明が解決しようとする課題】
【０００６】
しかしながら、特許文献１にて開示された方法では、ユーザーはＥＤＩＤを変更する際に、映像信号のフォーマットに対する専門的な知識が必要となる。また、誤った映像信号のフォーマットに変更してしまうと、表示装置が映像信号を受信することができなくなる恐れがあった。
【０００７】
そこで、本発明の目的は、表示装置の受信可能な映像信号のフォーマットを、国や地域に応じて変更可能な表示装置を提供することである。
【課題を解決するための手段】
【０００８】
上記目的を達成するために、本発明の一側面としての表示装置は、外部装置から入力される映像信号に基づいて映像を表示する。該表示装置は、前記映像信号を受信する入力手段と、前記外部装置から受信可能な映像信号のフォーマット情報を、前記表示装置が使用される地域に関する情報に基づいて変更する処理を行う制御手段と、を有することを特徴とする。
【０００９】
なお、上記処理を表示装置のコンピュータに実行させる処理プログラムも、本発明の他の一側面を構成する。
【発明の効果】
【００１０】
本発明によれば、表示装置の受信可能な映像信号のフォーマットを、国や地域に応じて変更可能な表示装置を提供することができる。
【図面の簡単な説明】
【００１１】
【図１】本発明の実施例１であるプロジェクタの構成を示すブロック図。
【図２】実施例１におけるフォーマット変更処理を示すフローチャート。
【図３】本発明の実施例２であるプロジェクタの構成を示すブロック図。
【図４】実施例２におけるフォーマット変更処理を示すフローチャート。
【図５】本発明の実施例３であるプロジェクタの構成を示すブロック図。
【図６】実施例３におけるメニュー表示の際の言語設定を行うためのフローチャート。
【図７】実施例３におけるフォーマット変更処理を示すフローチャート。
【発明を実施するための形態】
【００１２】
以下、本発明の実施例について図面を参照しながら説明する。
【実施例１】
【００１３】
図１は、本発明の実施例１である表示装置としてのプロジェクタ１０の構成を示している。プロジェクタ（投射型表示装置）１０は、入力部（入力手段）１０１、映像処理部１０２、表示部１０３、情報記憶部１０４、操作部１０５、時計部１０６、制御部１０７、地域判定部１０８を有している。制御部１０７、地域判定部１０８により制御手段が構成される。
【００１４】
表示部１０３は、何れも不図示の光源部、照明光学系、色分離光学系、光変調部、パネル駆動部、色合成光学系および投射光学系等を含む。光源部は、水銀ランプ等の放電ランプやレーザ光源等の発光素子を有する。照明光学系は、光源部からの光を均一な矩形領域を照明する照明光に変換する。色分離光学系は、照明光学系からの照明光（白色光）を赤光、青光および緑光に分解して、１又は複数の液晶パネルやデジタルマイクロミラーデバイス等を含む光変調部に導く。
【００１５】
光変調部は、映像処理部１０２から入力された映像信号に基づいてパネル駆動部により生成されたパネル駆動信号に応じて、入射した赤光、青光および緑光を変調する。色合成光学系は、光変調部により変調された赤光、青光および緑光を合成して画像光として投射光学系に導く。投射光学系は、画像光をスクリーン等の不図示の被投射面に投射する。これにより、カラー投射映像が表示される。
【００１６】
入力部１０１は、例えば、ＨＤＭＩ（登録商標）、ＤＶＩ、アナログＶＧＡなど映像信号を受信するコネクタであり、映像信号を出力するパーソナルコンピュータ等の外部装置である映像出力装置２０とケーブルを介して接続する。映像出力装置２０は、様々なフォーマット（または仕様）の映像信号を出力することができる。図１には１つの映像出力装置２００が記載されているが、入力部１０１には様々な映像出力装置（外部装置）を接続することができる。
【００１７】
映像処理部１０２は、入力部１０１を介して入力された映像信号をデコードし、クロック周波数やインフォフレームのデータなどを元に入力された映像信号の解像度を判定する。また、映像処理部１０２は、入力された映像信号に対して、ノイズ除去、拡大／縮小（スケーリング処理）、色補正、ガンマ補正等の各種映像処理を行う。また、メニュー画像や情報アイコン画像などのＯＳＤ（オンスクリーンディスプレイ）画像をグラフィック描画により生成し、映像処理した信号に重畳させる処理も行う。これら映像処理後の映像信号を表示部１０３のパネル駆動部に出力する。
【００１８】
情報記憶部１０４は、ＥＥＰＲＯＭ等を用いたＥＤＩＤ用のメモリである。情報記憶部１０４は、入力部１０１に入力可能な、すなわち受信可能な映像信号のフォーマットに関する情報を記憶している。ここにいう映像信号のフォーマットには、解像度、水平／垂直ブランキング期間、クロック（ドットクロック）周波数等が含まれる。以下の説明において、映像信号のフォーマットを映像フォーマットといい、映像信号のフォーマットに関する情報を映像フォーマット情報という。
【００１９】
プロジェクタ１０にケーブルを介して接続された映像出力装置２０は、情報記憶部１０４に記憶されている映像フォーマット情報を取得することで、プロジェクタ１０が受信可能な映像フォーマットを確認する。そして、その映像フォーマットを有する映像信号を映像入力部１０１に出力する。
【００２０】
操作部１０５は、ユーザーにより操作されるボタン等およびプロジェクタ１０を遠隔操作するためのリモコンからの光信号（リモコン信号）を受信するためのリモコン受信部を含み、ユーザー操作またはリモコン信号の受信に応じて操作信号を出力する。ユーザーは、ＯＳＤで表示するメニューを操作することにより、電源の入／切、投射モードの選択、画質の調整、設置設定の調整等を指示することができる。
【００２１】
時計部１０６は、リアルタイムクロック（ＲＴＣ）デバイスであり、プロジェクタ１０の電源が切られていても、不図示のバッテリや大容量キャパシタなどの電源により、時刻を刻み続けることができる。
【００２２】
地域判定部１０８は、後述の地域に関する情報からプロジェクタ１０が使用される（設置されている）地域を判定する。通常、ユーザーが時計部１０６の時刻を合わせる際、時計部１０６が刻んでいる時刻（標準時刻）との差を表すタイムゾーンの設定を行う。一般的には、標準時刻はイギリスのグリニッジ天文台における基準時刻であり、日本の場合、タイムゾーンは＋９時間が設定される。本実施例では、地域に関する情報としてタイムゾーンの設定を用い、地域を判定する。
【００２３】
制御部１０７は、情報記憶部１０４に記憶された映像フォーマット情報を、地域判定部１０８が判定した地域（地域に関する情報）に基づいて変更する処理を行う。このフォーマット変更処理を行うことにより、映像出力装置２０に対して、プロジェクタ１０が受信可能な映像信号の映像フォーマット情報を国や地域に応じて変更し、通知することができる。また、制御部１０７は、プロジェクタ１０の全体の制御も行う。
【００２４】
次に、制御部１０７が行う処理について、図２に示したフローチャートを用いて説明する。以下の説明において、「Ｓ」はステップ（処理）を意味する。ＣＰＵ等のコンピュータにより構成される制御部１０７は、コンピュータプログラムとしての処理プログラムに従って本処理を実行する。
【００２５】
まずＳ１０において、制御部１０７は、時計部１０６にタイムゾーンの設定がされているか否かを確認する。制御部１０７は、タイムゾーンが設定されていることを確認した場合、Ｓ３０へ進み、タイムゾーンが設定されていないことを確認した場合、Ｓ２０へ進む。
【００２６】
Ｓ２０では、制御部１０７は、ユーザーにタイムゾーンの設定を行わせる。具体的には、制御部１０７は、映像処理部１０２に、タイムゾーンの設定を促すメニュー画像を生成させる。ユーザーに操作部１０５のボタン等を操作させることにより、メニュー画像からタイムゾーンを設定させる。
【００２７】
Ｓ３０では、制御部１０７は、地域判定部１０８に地域を判定させる。具体的には、地域に関する情報であるタイムゾーンの設定から地域を判定する。例えば、タイムゾーンが＋９時間と設定されていたら、地域は、日本、韓国であると判定する。
【００２８】
Ｓ４０では、制御部１０７は、フォーマット変更処理を行う。すなわち、情報記憶部１０４に記憶されている映像フォーマット情報を、判定された地域に応じた映像フォーマット情報に変更する。例えば、地域を日本、韓国と判定した場合、該地域の放送波の垂直周波数（フレームまたはフィールド周波数）が６０Ｈｚであるため、これに関連する映像フォーマット情報を設定する。こうして制御部１０７はフォーマット変更処理を終了する。
【００２９】
このように、制御部１０７は、プロジェクタの受信可能な映像信号のフォーマットを、地域に関する情報であるタイムゾーンを用い判定された地域に応じて変更することが可能となる。
【実施例２】
【００３０】
図３には、本発明の実施例２であるプロジェクタ３０の構成を示している。本実施例において、実施例１と共通する構成要素には実施例１と同符号を付して説明に代える。
【００３１】
本実施例のプロジェクタ３０は情報記憶部１０４Ａ、１０４Ｂと複数有する。これら情報記憶部１０４Ａ、１０４Ｂのうち１つがセレクタ３０１を介して入力部１０１に接続される。本実施例では、制御部１０７からの指示に応じてセレクタ３０１の切り替えを制御する。複数の情報記憶部１０４Ａ、１０４Ｂは、それぞれが対応する地域での映像フォーマット情報を記憶している。情報記憶部１０４Ａの映像フォーマットと情報記憶部１０４Ｂの映像フォーマット情報は、少なくとも一部が互いに異なっていればよい。
【００３２】
つまり、本実施例では、制御部１０７は、セレクタ３０１を制御して入力部１０１に接続される情報記憶部１０４Ａ、１０４Ｂを切り替えることで、フォーマット変更処理を行う。
【００３３】
測位部３０２は、例えば、ＧＰＳ（Ｇｌｏｂａｌ  Ｐｏｓｉｔｉｏｎｉｎｇ  Ｓｙｓｔｅｍ）モジュールであり、地球上における現在位置を測位することができる。
【００３４】
次に、制御部１０７が行う処理について、図４に示したフローチャートを用いて説明する。ＣＰＵ等のコンピュータにより構成される制御部１０７は、コンピュータプログラムとしての処理プログラムに従って本処理を実行する。Ｓ４０は実施例１における図１のＳ４０と同様である。
【００３５】
まずＳ１００において、制御部１０７は、測位部３０２に現在位置を測位させ、測位した現在位置データを取得する。
【００３６】
Ｓ１１０では、制御部１０７は、地域判定部１０８に地域を判定させる。具体的には、地域に関する情報として現在位置データを用い、地域を判定する。例えば、地域判定部１０８は、予め不図示の記憶部に位置データと国の対応をテーブルデータとして記憶しておき、取得した現在位置データとテーブルデータから地域を判定する。
【００３７】
このように、制御部１０７は、プロジェクタの受信可能な映像信号のフォーマットを、地域に関する情報である測位した現在位置を用い判定された地域に応じて変更することが可能となる。
【００３８】
本実施例によれば、現在位置を測位し、入力部１０１に接続される情報記憶部を切り替えるだけで映像フォーマット情報を変更することができる。このため、実施例１と比較して、正確に地域を判定することができ、また、映像フォーマット情報の変更に要する時間を短くすることができる。
【実施例３】
【００３９】
図４には、本発明の実施例３であるプロジェクタ５０の構成を示している。本実施例において、実施例１と共通する構成要素には実施例１と同符号を付して説明に代える。実施例１との相違点は時計部１０６が削除されている点である。
【００４０】
次に、制御部１０７が行う処理について、図５、図６に示したフローチャートを用いて説明する。ＣＰＵ等のコンピュータにより構成される制御部１０７は、コンピュータプログラムとしての処理プログラムに従って本処理を実行する。図６のＳ４０は実施例１における図１のＳ４０と同様である。
【００４１】
プロジェクタ５０は、様々な言語でメニュー表示をすることが可能であり、メニュー表示の際の言語はユーザーが設定することができる。図５は、メニュー表示の際の言語設定を行うためのフローチャートである。本処理は、ユーザーが言語設定するための操作指示をしたときに実行される。
【００４２】
Ｓ２００において、制御部１０７は、ユーザーにメニュー表示の際の言語設定を行わせる。具体的には、制御部１０７は、映像処理部１０２に、メニュー表示の際の言語の設定を促すメニュー画像を生成させる。ユーザーに操作部１０５のボタン等を操作させることにより、メニュー画像からメニュー表示の際の言語を設定させる。
【００４３】
次に、図６は、映像フォーマット情報を変更するためのフローチャートである。
【００４４】
Ｓ２１０では、制御部１０７は、地域判定部１０８に地域を判定させる。具体的には、地域に関する情報としてメニュー表示の際に設定されている言語の情報を用い、地域を判定する。
【００４５】
このように、制御部１０７は、プロジェクタの受信可能な映像信号のフォーマットを、地域に関する情報としてメニュー表示の際の言語設定を用い判定された地域に応じて変更することが可能となる。
【００４６】
本実施例によれば、実施例１や実施例２と比較して、時計部１０６や測位部３０２が必要ないため、プロジェクタの製造コストを安くすることができる。
【００４７】
また、本実施例においては、地域に関する情報としてメニュー表示の際の言語の情報を用い地域を判定したが、それに代えて、使用する国または地域をユーザーに選択させてそれを地域に関する情報として用いてもよい。具体的には、使用する国または地域を設定する地域設定メニューを表示し、地域判定部１０８は、地域に関する情報として選択された国または地域を用い、地域を判定してもよい。
【００４８】
さらに、上記各実施例ではプロジェクタについて説明したが、プロジェクタ以外の様々な映像表示装置に対しても本実施例を適用することができる。例えば、外部からの映像信号の入力が可能な直視型モニタ、タブレット端末、ヘッドマウントディスプレイ等の表示装置に本実施例を適用することができる。
【００４９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５０】
以上説明した各実施例は代表的な例にすぎず、本発明の実施に際しては、各実施例に対して種々の変形や変更が可能である。
【００５１】
以上、本発明の好ましい実施形態について説明したが、本発明はこれらの実施形態に限定されず、その要旨の範囲内で種々の変形及び変更が可能である。
【００５２】
例えば、実施例２は、情報記憶部を２つ備える構成としていたが、３つ以上でもよい。また、実施例１から３は適宜組み合わせることができる。例えば、実施例１の時計部１０６を有する構成に実施例２のセレクタ３０１で情報記憶部１０４Ａ、１０４Ｂを切り替える構成を組み合わせてもよい。
【符号の説明】
【００５３】
１０、３０、５０  プロジェクタ（投射型表示装置）
１０１  入力部（入力手段）
１０７  制御部
１０８  地域判定部
【図１】
2019083490.tif 000003
【図２】
2019083490.tif 000004
【図３】
2019083490.tif 000005
【図４】
2019083490.tif 000006
【図５】
2019083490.tif 000007
【図６】
2019083490.tif 000008
【図７】
2019083490.tif 000009